(57)【要約】【課題】安全性の高い消火体験装置を提供すること。【解決手段】本発明にかかる消火体験装置は、解放タンク１０２に蓄えられた水に沈められたガス放出管１４３から燃焼ガスを放出することによって炎を出力するものである。この消火体験装置は、ガス供給ユニット４０からガス放出管１４３に対する燃焼ガスの供給・遮断を行う電磁弁１１と、電磁弁１１の動作を操作する燃焼スイッチ３１を備えている。操作者が燃焼スイッチ３１を押下したときには、燃焼ガスを供給する状態に移行し、操作者が燃焼スイッチ３１から手を離したときには、燃焼ガスを遮断する状態に移行するよう、電磁弁１１が動作する。【選択図】図１
2010210878.tif 000002
【特許請求の範囲】
【請求項１】
解放タンクに蓄えられた水に沈められたガス放出管から燃焼ガスを放出し、点火することによって炎を出力する消火体験装置であって、
ガス供給ユニットから前記ガス放出管に対する燃焼ガスの供給・遮断を行う制御弁と、
前記制御弁の動作を操作する燃焼スイッチを備え、
操作者が前記燃焼スイッチを押下したときには、前記燃焼ガスを供給する状態に移行し、操作者が前記燃焼スイッチから手を離したときには、前記燃焼ガスを遮断する状態に移行するよう、前記制御弁が動作する消火体験装置。
【請求項２】
前記消火体験装置は、点火プラグを点火させるイグナイタをさらに備え、
操作者が前記燃焼スイッチを押下したときには、設定された時間、前記イグナイタが前記点火プラグに高電圧を印加し、
操作者が前記燃焼スイッチから手を離したときには、前記イグナイタから点火プラグへの高電圧の印加を停止させることを特徴とする請求項１記載の消火体験装置。
【請求項３】
前記解放タンクに設けられた水位調整穴は、前記点火プラグよりも下方に設けられていることを特徴とする請求項２記載の消火体験装置。
【請求項４】
前記消火体験装置には、少なくとも前記制御弁及びその配線を収容する機器収容ボックスを備え、前記解放タンクの水に下端部が浸り、前記機器収容ボックスの側面から所定距離だけ離間して設けられた板状の内側保護部材を備えたことを特徴とする請求項１〜３いずれかに記載の消火体験装置。
【請求項５】
前記解放タンクに設けられた水位調整穴は、前記内側保護部材の下端部よりも上方に設けられていることを特徴とする請求項４記載の消火体験装置。
【請求項６】
前記燃焼スイッチと、前記消火体験装置本体の間にそれぞれ配線により電気的に接続されたコントロールボックスを備え、当該コントロールボックスには、前記消火体験装置本体に内蔵された機器に対して電源供給を行う電源バッテリーを備えたことを特徴とする請求項１〜５いずれかに記載の消火体験装置。
【請求項７】
供給する前記燃焼ガスの圧力を調整する供給ガス圧力調整器をさらに備えたことを特徴とする請求項１〜６いずれかに記載の消火体験装置。
【発明の詳細な説明】
【技術分野】
【０００１】
本発明は、消火体験において用いられる消火体験装置に関する。
【背景技術】
【０００２】
消火の訓練や体験を行うために、様々な装置が提案されている。例えば、一般人向けの消火訓練装置としては、「炎」と印刷されたパネルやスクリーンに映し出される映像を模擬炎として表示し、これに対して消火訓練を行う。しかしながら、これら消火訓練装置は、実際の炎を出力するものではないため、現実感に欠けるという問題がある。
【０００３】
主に、消防士の訓練のために、実際の炎を出力する消火訓練装置も提案されている。一般的な消火訓練装置では、プロパンガスを放出するバーナーを用いてる。しかしながら、バーナーの炎は、液体燃料が撒き散らされたときの火災の様子とは大きく異なるという問題がある。
【０００４】
そのような問題を解決するために、解放タンク内の水中に、多数の穴があいたパイプを沈め、そしてそのパイプに液体プロパンを供給することによって、当該穴から噴出したプロパン蒸気に点火する消火訓練装置が提案されている（特許文献１及び特許文献２）。
【先行技術文献】
【特許文献】
【０００５】
【特許文献１】特開平５−１３４５９７号公報
【特許文献２】特開２００８−４０５０１号公報
【発明の概要】
【発明が解決しようとする課題】
【０００６】
しかしながら、特許文献１や特許文献２に開示された消火訓練装置は、口火装置等を使って点火する仕組みについては説明されているが、一旦出力状態にある炎については、消火ホースから放出された水によって消火する点のみ説明され、消火訓練装置を操作して消火する構成については提案されていない。
【０００７】
このため、安全性の観点から早急に炎を消火する必要がある場合にも対応することが困難である。特に、消防士ではない一般人向けの消火体験装置では、炎による事故発生を防止する観点から、安全かつ確実に消火できる構成が求められている。
【０００８】
本発明はかかる課題を解決するためになされたものであり、安全性の高い消火体験装置を提供することを目的とする。
【課題を解決するための手段】
【０００９】
本発明にかかる消火体験装置は、解放タンクに蓄えられた水に沈められたガス放出管から燃焼ガスを放出し、点火することによって炎を出力する消火体験装置であって、ガス供給ユニットから前記ガス放出管に対する燃焼ガスの供給・遮断を行う制御弁と、前記制御弁の動作を操作する燃焼スイッチを備え、操作者が前記燃焼スイッチを押下したときには、前記燃焼ガスを供給する状態に移行し、操作者が前記燃焼スイッチから手を離したときには、前記燃焼ガスを遮断する状態に移行するよう、前記制御弁が動作するものである。
【００１０】
ここで、前記消火体験装置は、点火プラグを点火させるイグナイタをさらに備え、操作者が前記燃焼スイッチを押下したときには、設定された時間、前記イグナイタが前記点火プラグに高電圧を印加し、操作者が前記燃焼スイッチから手を離したときには、前記イグナイタから点火プラグへの高電圧の印加を停止させるものである。
【００１１】
また、前記解放タンクに設けられた水位調整穴は、前記点火プラグよりも下方に設けられていることが望ましい。
【００１２】
また、前記消火体験装置には、少なくとも前記制御弁及びその配線を収容する機器収容ボックスを備え、前記解放タンクの水に下端部が浸り、前記機器収容ボックスの側面から所定距離だけ離間して設けられた板状の内側保護部材を備えていることが望ましい。
【００１３】
さらに、前記解放タンクに設けられた水位調整穴は、前記内側保護部材の下端部よりも上方に設けられていることが望ましい。
【００１４】
また、前記燃焼スイッチと、前記消火体験装置本体の間にそれぞれ配線により電気的に接続されたコントロールボックスを備え、当該コントロールボックスには、前記消火体験装置本体に内蔵された機器に対して電源供給を行う電源バッテリーを備えていることが好ましい。
【００１５】
また、供給する前記燃焼ガスの圧力を調整する供給ガス圧力調整器をさらに備えるようにしてもよい。
【発明の効果】
【００１６】
本発明によれば、安全性の高い消火体験装置を提供することができる。
【図面の簡単な説明】
【００１７】
【図１】発明の実施の形態にかかる消火体験装置の断面図である。
【図２】発明の実施の形態にかかる消火体験装置の上面図である。
【発明を実施するための形態】
【００１８】
発明の実施の形態にかかる消火体験装置の構成について、図１及び図２を用いて説明する。図１、図２に示されるように、当該消火体験装置は、消火体験用の水消火器とともに用いられ、消火体験装置本体１０と、コントロールボックス２０と、燃焼スイッチボックス３０と、ガス供給ユニット４０を備えている。
【００１９】
消火体験装置本体１０は、炎を出力する装置であり、例えば、高さが３０〜３５ｃｍ、幅５５〜６０ｃｍ、縦が６５〜７０ｃｍの大きさを有する。消火体験装置本体１０は、機器収容ボックス１０１と、燃焼パンである解放タンク１０２を有する。
【００２０】
機器収容ボックス１０１は、電磁弁１１、イグナイタ１２、点火装置１３の一部、その他の部品を収容する。当該機器収容ボックス１０１は、炎や消火の際に浴びせられる水から、電磁弁１１等の部品を保護する役割を有する。当該機器収容ボックス１０１は、筐体構造を有し、例えば、ステンレス等の金属薄板を溶接やネジ留め等により組み合わせて構成されている。
【００２１】
機器収容ボックス１０１の一側面には、ガス供給口１４１を有するガス導入管１４２が貫通して、その内部まで延在している。ガス供給口１４１には、ガス供給ユニット４０から０．０２ＭＰａのプロパンガスが供給される。円環状のガス導入管１４２の他方の端部は、電磁弁１１によって弁制御されている。電磁弁１１は、円環状のガス放出管１４３に接続されており、ガス導入管１４２からガス放出管１４３へ供給されるプロパンガスの量を制御している。本例では、ガス導入管１４２及びガス放出管１４３はいずれも横方向に延在している。ガス放出管１４３は、図２の上面図に示されるように、Ｕ字状に屈曲している。このため、ガス放出領域を広くすることができる。本例におけるガス放出管１４３には、直径１２．７ｍｍ程度のステンレス管が用いられる。
【００２２】
ガス放出管１４３の下面には、複数のガス放出穴１４４が設けられている。これらのガス放出穴１４４からは、プロパンガスが放出される。ガス放出穴１４４は、直径２〜３ｍｍ程度の円孔であり、１０〜２０個程度設けられている。
【００２３】
ガス放出管１４３の一部から、点火装置１３にプロパンガスを供給する点火用ガス導入管１４５が分岐して設けられている。点火用ガス導入管１４５は、ガス放出管１４３よりも小径のパイプ部材により構成されている。点火用ガス導入管１４５の先端口は、点火装置１３に設けられた点火プラグ１３１の点火部分の近傍に位置している。ここで、本実施の形態にかかる消火体験装置では設けていないが、さらに、ガス放出管１４３の、機器収容ボックス１０１内に位置する部分に、管内に溜まった水を排出する水抜きバルブを設けるようにしてもよい。
【００２４】
点火プラグ１３１に対しては、配線１６３を介してイグナイタ１２より所定の電圧が印加される。イグナイタ１２は、機器収容ボックス１０１の天井面に固定されている。イグナイタ１２及び電磁弁１１に対しては、電源供給のための配線１６１、１６２がそれぞれ制御ケーブル２２を介してコントロールボックス２０と接続されている。イグナイタ１２は電圧が加えられると、点火プラグ１３１に対して高電圧を印加する。点火プラグ１３１は高電圧が印加されるとスパークを発生する。電磁弁１１は、電流が加えられると、閉じていた弁が開き、プロパンガスがガス放出管１４３に供給される。電磁弁１１は、ガス供給ユニット４０からガス放出管１４３に対するプロパンガスの供給・遮断を行う制御弁として機能する。
【００２５】
点火装置１３の先端部は、解放タンク１０２の上方において、内側に突出している。点火装置１３の先端部にある点火プラグ１３１の先端に位置するスパーク発生部及び点火用ガス導入管１４５の先端部は、下方に解放された保護カバー１３２に収容されている。下方は解放されるため、下方より上方に流れるプロパンガスに対して点火装置１３によって点火することができる。
【００２６】
保護カバー１３２は、ステンレス等の金属薄板により構成されており、点火装置１３の先端部を上面、側面より覆っている。このため、消火活動により水が浴びせられても、点火装置１３の先端部は濡れないため、点火特性を維持することができる。
【００２７】
解放タンク１０２は、上方が解放され、基本的に側面及び底面が封止された器状の構成を有している。但し、底面の一部には、排水バルブ１８が設けられており、解放タンク１０２に溜められた水を流し出すことが可能となる。また、解放タンク１０２の側面の一部には、水位調整穴１７が設けられており、解放タンク１０２に溜められた水が一定の水位以上に上昇して点火装置１３を濡らすことがないようにしている。このため、水位調整穴１７は、点火装置１３の取り付け位置よりも下方に配置されている。本例において、水位調整穴１７は、ガス放出管１４３より１０ｃｍ程度上方に設けられている。
【００２８】
解放タンク１０２の側面のうち、点火装置１３が突出した側面に対して、所定の距離だけ離間し、その側面と平行に、内側保護部材１５２が設けられている。内側保護部材１５２は、ステンレス等の金属薄板よりなり、ガス放出管１４３の延在方向と水平な２つの側面に接する位置まで左右方向に延在している。当該内側保護部材１５２は、基本的に、機器収容ボックス１０１の上面に取り付けられて、解放タンク１０２の解放口から略直角に下方向に屈曲して形成されており、その下端部は、水位調整穴１７よりも下に位置している。従って、内側保護部材１５２の下端部は、使用状態において、解放タンク１０２に溜められた水に浸っている。
【００２９】
また、ガス放出管１４３に設けられた放出穴１４４は、当該内側保護部材１５２よりも内側（機器収容ボックス１０１から離れる側）に設けられているため、当該放出穴から放出されるプロパンガスは、内側保護部材１５２よりも機器収容ボックス１０１側には、入らない。放出穴１４４から放出され、解放タンク１０２に溜まった水中で蒸気泡となったプロパンガスは、水の上側にて点火されて炎になるが、内側保護部材１５２よりも機器収容ボックス１０１側には、当該プロパンガスが供給されないため、燃えて炎になることはない。そして、内側保護部材１５２と機器収容ボックス１０１の間には、空気層が存在するため、機器収容ボックス１０１の内部への炎の熱の伝達が抑制される。これにより、機器収容ボックス１０１内の各種機器、配線を高熱から守ることができる。
【００３０】
コントロールボックス２０は、例えば１２Ｖの電源バッテリ２１を内蔵している。電源バッテリ２１から、５ｍ程度の制御ケーブル２２を介して消火体験装置本体１０に対して電力を供給している。コントロールボックス２０は、燃焼スイッチボックス３０と、２ｍ程度のスイッチケーブル３２を介して接続されている。燃焼スイッチボックス３０に設けられた燃焼スイッチ３１のオンオフは、スイッチケーブル３２を介して、コントロールボックス２０内の制御装置により検出される。燃焼スイッチ３１は、指で押下していない状態ではオフ状態となり、指で押圧すると、オン状態になる。
【００３１】
ガス供給ユニット４０は、プロパンガス等の燃焼ガスを保持するガスボンベと、供給するガスの圧力を調整する供給ガス圧力調整器を備えている。ガス供給ユニット４０は、５ｍ程度のカプラ付きガスホースを介してプロパンガスをガス供給口１４１に供給する。供給ガス圧力調整器によって供給ガスの圧力を変えることによって、燃焼炎の大きさを変えることができる。
【００３２】
続いて、本実施の形態にかかる消火体験装置の動作について説明する。
まず、消火体験装置を管理する管理者が、炎をつけるために、燃焼スイッチ３１を押下したとする。この場合に、コントロールボックス２０内の制御装置は、燃焼スイッチ３１がオン状態にあることを検出すると、電磁弁１１に対して電流を供給する。電磁弁１１は、電流に応じて弁が開き、ガス放出管１４３の放出穴１４４からプロパンガスが放出される。放出されたプロパンガスは、蒸気泡となり、解放タンク１０２の水面から出ていく。また、点火用ガス供給管１４５の先端からもプロパンガスが放出される。
【００３３】
また、コントロールボックス２０内の制御装置は、燃焼スイッチ３１がオン状態にあることを検出すると、イグナイタ１２に対して電圧を印加する。イグナイタ１２は、電圧の印加に応じて作動を開始し、点火プラグ１３１に対して高電圧を供給する。点火プラグ１３１はこれに応じてスパークを発生させ、点火用ガス供給管１４５の先端から放出されたプロパンガスに着火し、種火を発生させる。種火がガス放出穴１４４から放出されたガスに着火し、解放タンク１０２で炎が発生する。イグナイタ１２は、設定された時間を経過すると、自動的に停止する。
【００３４】
その後、ユーザが燃焼スイッチ３１から手を離し、オフ状態に移行すると、コントロールボックス２０内の制御装置は、かかるオフ状態を検出する。コントロールボックス２０内の制御装置は、オフ状態を検出すると、電磁弁１１に対する電流の供給及びイグナイタ１２に対する電圧の印加を停止する。電磁弁１１は、電流の供給が停止すると、弁を閉じるため、ガス放出管１４３に対するプロパンガスの供給も遮断される。また、イグナイタ１２は、電圧の印加が停止すると、点火プラグ１３１に対する高電圧の供給も停止し、スパークの発生も止まる。そして、炎は消えていく。
【００３５】
このように、本実施の形態にかかる消火体験装置では、燃焼スイッチ３１から手を離すと、自動的に炎が消える。従って、単に燃焼スイッチ３１から手や指を離しさえすれば、炎を消すことができるため、消すための操作を意識的に行う必要がないので、安全性を高めることができる。特に、事故が発生したときのように、パニック状態に陥り、燃焼スイッチ３１を放り出してしまった場合にも、自動的に炎が消えるので、安全性が極めて高いといえる。
【符号の説明】
【００３６】
１０  消火体験装置本体
１１  電磁弁
１２  イグナイタ
１３  点火装置
１７  水位調整穴
１８  排水バルブ
２０  コントロールボックス
２１  電源バッテリ
３０  燃焼スイッチボックス
３１  燃焼スイッチ
４０  ガス供給ユニット
１４１  ガス供給口
１４２  ガス導入管
１４３  ガス放出管
１４４  ガス放出穴
１４５  点火用ガス導入管
【図１】
2010210878.tif 000003
【図２】
2010210878.tif 000004